(57)【要約】      （修正有）【課題】簡易な構成で内部に浸入した雨水等を保持コネクタの外部へ排出する充電スタンドを提供する。【解決手段】充電スタンドは、スタンド本体と、充電時に充電対象に接続される接続部を有する充電コネクタと、非充電時に充電コネクタを保持する保持コネクタ３０とを備える。保持コネクタ３０は、スタンド本体の前面側へ向かって下降傾斜した底面部３１と、接続部に挿入されて充電コネクタを保持する保持部３２と、保持部３２が接続部に挿入された状態で接続部の周囲を囲う周壁部３３、３４と、周壁部３３、３４の内側と外側とを連通する連通部３５と、保持部３２が接続部に挿入されて充電コネクタが保持コネクタ３０に保持された状態で接続部の先端部に接触することで接続部を底面部から離間させるスペーサ３６とを有する。【選択図】図３
2017028856.tif 000002
【特許請求の範囲】
【請求項１】
スタンド本体と、
前記スタンド本体にケーブルを介して接続され、充電時に充電対象に接続される接続部を有する充電コネクタと、
前記スタンド本体に設けられ非充電時に前記充電コネクタを保持する保持コネクタと、
を備え、
前記保持コネクタは、
前記スタンド本体の前面側へ向かって下降傾斜した底面部と、
前記底面部から突出して設けられ、前記接続部に挿入されて前記充電コネクタを保持する保持部と、
前記底面部から突出し前記保持部との間に隙間を有して設けられ、前記保持部が前記接続部に挿入された状態で前記接続部の周囲を囲う周壁部と、
前記周壁部の最下部に設けられ、前記周壁部の内側と外側とを連通する連通部と、
前記底面部から突出して設けられ、前記保持部が前記接続部に挿入されて前記充電コネクタが前記保持コネクタに保持された状態で前記接続部の先端部に接触することで前記接続部を前記底面部から離間させるスペーサと、
を有する充電スタンド。
【請求項２】
前記充電コネクタが前記保持コネクタに保持された状態で相互に係合する係合部及び被係合部を更に備え、
前記係合部又は前記被係合部のいずれか一方は、前記充電コネクタにあって前記接続部の上側に設けられ、
前記係合部又は前記被係合部の他方は、前記保持コネクタにあって前記保持部の上側に設けられ、
前記スペーサは、前記周壁部の最下部でかつ前記周壁部の内側に設けられている、
請求項１に記載の充電スタンド。
【請求項３】
前記スペーサの前記保持部側の面は、前記連通部側へ向かって下降傾斜している、
請求項１又は２に記載の充電スタンド。
【請求項４】
前記保持部の最下部から前記連通部側へ向かって延びるヒレ部を更に備えている、
請求項１から３のいずれか一項に記載の充電スタンド。
【請求項５】
前記ヒレ部は、弾性変形可能である、
請求項４に記載の充電スタンド。
【請求項６】
前記スペーサは、弾性変形可能である、
請求項１から５のいずれか一項に記載の充電スタンド。
【発明の詳細な説明】
【技術分野】
【０００１】
本発明は、電気自動車等を充電するための充電スタンドに関する。
【背景技術】
【０００２】
電気自動車を充電するための充電スタンドは、電源装置を備えたスタンド本体と、ケーブルを介してスタンド本体に接続された充電コネクタと、を備えている。充電コネクタは、充電を行う充電時には充電対象である電気自動車に接続され、充電を行わない非充電時には、スタンド本体に設けられた保持コネクタに保持される。
【０００３】
充電スタンドは、主に屋外での使用が想定されるため、保持コネクタの内部に雨水等が溜まらないように排水構造を設ける必要がある。従来、このような充電スタンドは、例えば保持コネクタの底部に排水用の孔を設け、保持コネクタの内部に浸入した雨水等を、排水用の孔からスタンド本体内部を通して、スタンド本体の外部へ排出していた。しかしながら、このような構成は、構造が複雑になり易かった。
【先行技術文献】
【特許文献】
【０００４】
【特許文献１】特開２０１０−２６３６６５号公報
【発明の概要】
【発明が解決しようとする課題】
【０００５】
そこで、簡易な構成で保持コネクタの内部に浸入した雨水等を保持コネクタの外部へ排出することができる充電スタンドを提供する。
【課題を解決するための手段】
【０００６】
（請求項１）
請求項１に記載の充電スタンドは、スタンド本体と、前記スタンド本体にケーブルを介して接続され、充電時に充電対象に接続される接続部を有する充電コネクタと、前記スタンド本体に設けられ非充電時に前記充電コネクタを保持する保持コネクタと、を備える。前記保持コネクタは、前記スタンド本体の前面側へ向かって下降傾斜した底面部と、前記底面部から突出して設けられ、前記接続部に挿入されて前記充電コネクタを保持する保持部と、前記底面部から突出し前記保持部との間に隙間を有して設けられ、前記保持部が前記接続部に挿入された状態で前記接続部の周囲を囲う周壁部と、前記周壁部の最下部に設けられ、前記周壁部の内側と外側とを連通する連通部と、前記底面部から突出して設けられ、前記保持部が前記接続部に挿入されて前記充電コネクタが前記保持コネクタに保持された状態で前記接続部の先端部に接触することで前記接続部を前記底面部から離間させるスペーサと、を有する。
【０００７】
この構成によれば、保持コネクタの内部つまり接続部を囲う周壁部の内側に浸入した雨水等は、周壁部と保持部との間に形成された隙間を、前記スタンド本体の前面側へ向かって下降傾斜した底面部に沿って流れ落ちる。そして、周壁部と保持部との間の隙間を流れる雨水等は、周壁部の最下部に設けられた連通部から、保持コネクタの外部へ排出される。この場合、充電コネクタの接続部の先端部が保持コネクタの底面部に接触していると、接続部が連通部を塞いでしまい、雨水等の排出を阻害してしまう。
【０００８】
そこで、本構成の充電スタンドは、底面部から突出して設けられたスペーサを備える。スペーサは、保持部が接続部に挿入されて充電コネクタが保持コネクタに保持された状態で接続部の先端部に接触することで接続部を底面部から離間させる。これにより、保持コネクタの先端部が底面部に接触することによって、連通部や隙間を塞いで雨水等の流れを阻害されることを防ぐことができる。これにより、保持コネクタ内に浸入した雨水等は、円滑に保持コネクタの外部へ排出される。このように、本構成によれば、保持コネクタの内部に浸入した雨水等を、スタンド本体の内部を通すことなく排出することができる。したがって、簡易な構成で保持コネクタの内部に浸入した雨水等を保持コネクタの外部へ排出することができる。
【０００９】
（請求項２）
請求項２に記載の充電スタンドは、前記充電コネクタが前記保持コネクタに保持された状態で相互に係合する係合部及び被係合部を更に備える。前記係合部又は前記被係合部のいずれか一方は、前記充電コネクタにあって前記接続部の上側に設けられている。前記係合部又は前記被係合部の他方は、前記保持コネクタにあって前記保持部の上側に設けられている。前記スペーサは、前記周壁部の最下部でかつ前記周壁部の内側に設けられている。
【００１０】
これによれば、底面部がスタンド本体の前面側へ向かって下降傾斜しているため、充電コネクタは、スタンド本体の前面側へ傾いた姿勢で保持コネクタに保持される。そして、スペーサは、周壁部の最下部でかつ周壁部の内側に設けられているため、充電コネクタは、接続部の先端部における最下部がスペーサと接触する。この場合、充電コネクタには、保持部の先端部の最下部、つまり保持部とスペーサとの接触部分を支点にして、保持部の先端部の頂上部が底面部から離れる方向へ回転しようとする力が作用する。
【００１１】
ここで、相互に係合する係合部及び被係合部が、それぞれ接続部又は保持部の上側に設けられていないと、充電コネクタに作用する回転しようとする力を、保持コネクタの周壁部の最下部周辺で受けなければならい。つまりこの場合、充電コネクタの回転力を受ける作用点は、周壁部の最下部周辺部分になる。そして、その周壁部の最下部周辺部分は、充電コネクタの回転の支点に近い位置にある。そのため、充電コネクタの回転力を受ける周壁部の最下部周辺部分には大きな力が作用する。したがって、この場合、周壁部の最下部周辺部分に高い強度が必要になる。
【００１２】
一方、本構成によれば、係合部及び被係合部は、充電コネクタが保持コネクタに保持された状態で相互に係合する。これにより、係合部及び被係合部は、充電コネクタが保持コネクタから抜け落ちることを防止する。この場合、係合部及び被係合部は、充電コネクタに作用する回転力を受ける作用点となる。そして、係合部及び被係合部は、それぞれ接続部又は保持部の上側に設けられている。つまりこの場合、係合部及び被係合部は、充電コネクタの回転の支点から遠い位置にある。そのため、充電コネクタの回転力を受ける係合部及び被係合部には、それほど大きい力は作用しない。また、充電コネクタに作用する回転力を、係合部及び被係合部で受けるため、周壁部の最下部周辺部分にもそれほど大きい力は作用しない。したがって、係合部及び被係合部や、周壁部の最下部周辺部分の強度を高くする必要が無くなる。これにより、係合部及び被係合部や、周壁部を小型化することができ、その結果、保持コネクタ全体を小型化することができる。
【００１３】
（請求項３）
請求項３に記載の充電スタンドにおいて、前記スペーサの前記保持部側の面は、前記連通部側へ向かって下降傾斜している。これによれば、保持コネクタ内に浸入した雨水等がスペーサの保持部側の面に沿って流れる際に、その雨水等を連通部に誘導し易くなる。その結果、保持コネクタ内に浸入した雨水等の排出をより効果的に行うことができる。
【００１４】
（請求項４）
請求項４に記載の充電スタンドは、前記保持部の最下部から前記連通部側へ向かって延びるヒレ部を更に備える。これによれば、周壁部と保持部との隙間に沿って流れ落ちた雨水等は、ヒレ部に当たることで連通部側へ流れの方向を変えて、連通部へ誘導される。すなわち、周壁部は保持部の外側を囲っているため、雨水等の排水経路となる周壁部と保持部との隙間は、保持部の左右方向の両外側に形成されている。そして、保持コネクタ内に浸入した雨水等は、保持部の左右両外側の隙間に沿って流れ落ちた後、保持部の最下部で合流する。この場合、ヒレ部を備えていないと、保持部の左右両外側の隙間に沿って流れ落ちた雨水等が保持部の最下部で合流する際に勢い良くぶつかり合う。そのため、保持部の最下点付近で流れに乱れが生じ易くなり、その流れの乱れは、連通部からの雨水等の排出を阻害する。
【００１５】
一方、本構成の充電スタンドによれば、保持コネクタ内に浸入した雨水等は、保持部の左右両外側の隙間に沿って流れ落ちて保持部の最下部で合流する際に、ヒレ部に当たることで連通部側へ流れの方向を変えて連通部へ誘導される。したがって、保持部の最下部で雨水等が合流する際に、その雨水等の流れ方向を同一方向へ揃えることができる。そのため、保持部の左右両外側の隙間に沿って流れ落ちた雨水等が保持部の最下部で合流する際に勢い良くぶつかり合うことを極力防ぐことができる。その結果、保持部の最下点付近つまり連通部付近における流れに乱れが生じ難くなり、連通部から雨水等を円滑に排出することができる。
【００１６】
（請求項５）
請求項５の充電スタンドにおいて、前記ヒレ部は、弾性変形可能である。これによれば、保持部の最下部まで流れ落ちてきた雨水等は、ヒレ部に当たる際にヒレ部を弾性変形させる。その際、雨水等の流れる勢いが低減されるため、連通部の手前付近での水の流れが滑らかになる。したがって、連通部の手前付近で水が勢い良くぶつかり合って、その水の流れに乱れが生じることを極力防ぐことができる。その結果、連通部の手前付近における水の流れに乱れが生じ難くなり、連通部から雨水等を更に円滑に排出することができる。
【００１７】
（請求項６）
請求項６の充電スタンドにおいて、前記スペーサは、弾性変形可能である。これによれば、周壁部に沿って流れ落ちる雨水等は、スペーサに当ってスペーサを弾性変形させる。その際、雨水等の流れる勢いが低減されるため、雨水等の流れ滑らかになる。その結果、連通部から雨水等を更に効率よく排出することができる。
【図面の簡単な説明】
【００１８】
【図１】第１実施形態による充電スタンドを示す斜視図
【図２】第１実施形態による充電コネクタの一部を破断して示す図
【図３】第１実施形態による保持コネクタの要部について図１の矢印Ｘ３方向から見た正面図
【図４】第１実施形態について図３のＸ４−Ｘ４線に沿って示す断面図
【図５】第１実施形態について充電コネクタを保持した状態の保持コネクタを示す断面図
【図６】第２実施形態について保持コネクタの要部を示す図３相当図
【図７】第３実施形態について保持コネクタの要部を示す図３相当図
【発明を実施するための形態】
【００１９】
以下、複数の実施形態による充電スタンドについて、図面を参照して説明する。なお、各実施形態において実質的に同一の構成部位には同一の符号を付し、説明を省略する。
【００２０】
（第１実施形態）
図１に示すように、充電スタンド１０は、スタンド本体１１と、充電コネクタ２０と、を備えている。スタンド本体１１は、図示しない電源装置と、保持コネクタ３０と、を有している。電源装置は、スタンド本体１１の内部に設けられている。保持コネクタ３０は、スタンド本体１１の使用者側の面を窪ませて形成した窪み部１１１内にあって、使用者側に設けられている。
【００２１】
なお、以下の説明においては、図１の紙面上下方向を、充電スタンド１０の上下方向とする。また、スタンド本体１１に対して保持コネクタ３０側つまり使用者側を、充電スタンド１０の前側とし、スタンド本体１１に対して使用者側とは反対側を、充電スタンド１０の後側とする。そして、スタンド本体１１の上下方向及び前後方向のいずれにも直角する方向を、充電スタンド１０の左右方向とする。
【００２２】
充電コネクタ２０は、ケーブル１２によって、スタンド本体１１の内部に設けられた電源装置に接続されている。詳細は図示しないが、電気自動車等の充電対象物を充電する充電時には、充電コネクタ２０は、充電対象物に接続される。また、充電対象物を充電しない非充電時には、充電コネクタ２０は、スタンド本体１１に設けられた保持コネクタ３０に保持される。
【００２３】
充電コネクタ２０は、図２に示すように、充電コネクタ本体部２１、接続部２２、係合部２３、及び解除ボタン２４を有している。充電コネクタ本体部２１は、いわゆるハンドガン形状に形成されている。使用者は、充電コネクタ本体部２１を把持して充電コネクタ２０を取り扱う。接続部２２は、円筒形の内側に複数のピン２２１を有する構成である。接続部２２の先端部は、充電コネクタ本体部２１の先端部に対して傾斜している。
【００２４】
接続部２２は、電気自動車等の充電対象を充電する際に、電気自動車等の充電口内部に設けられた被接続部に接続される。これにより、充電スタンド１０の電源装置と充電対象とが、ケーブル１２及び充電コネクタ２０を介して電気的に接続されて、充電スタンド１０から図示しない充電対象へ給電される。
【００２５】
係合部２３は、充電コネクタ２０が保持コネクタ３０に保持された状態において接続部２２の上方に位置する。係合部２３は、可動式のいわゆるフック状に形成されている。係合部２３は、係合部２３に対して接続部２２とは反対方向つまり図２の紙面上側への力が作用した場合、及び解除ボタン２４を押圧操作された場合に、係合部２３の基端部を軸に接続部２２とは反対方向へ回転するように動作する。
【００２６】
保持コネクタ３０は、図３及び図４に示すように、底面部３１、保持部３２、上側周壁部３３、下側周壁部３４、連通部３５、スペーサ３６、及び被係合部３７を有している。底面部３１は、図１及び図４に示すように、スタンド本体１１の前側つまり使用者側へ向かって下降傾斜している。この場合、底面部３１の傾斜角度は、窪み部１１１の下側の傾斜面１１２の傾斜角度よりも緩やかである。そして、底面部３１の下端部は、傾斜面１１２に接続されている。また、窪み部１１１の下側の傾斜面１１２は、スタンド本体１１の前面１１３に接続されている。
【００２７】
図３に示すように、保持部３２は、全体として円柱形状に形成されている。保持部３２は、底面部３１に対して直角方向へ突出して設けられている。保持部３２は、複数の挿入孔３２１を有している。図５に示すように、充電コネクタ２０の接続部２２に設けられた複数のピン２２１は、それぞれ保持部３２の複数の挿入孔３２１に挿入される。そして、保持部３２の全体は、接続部２２の内側に挿入される。これにより、接続部２２は、充電コネクタ２０を保持する。
【００２８】
図３に示すように、上側周壁部３３及び下側周壁部３４は、全体として円筒状に形成されている。上側周壁部３３及び下側周壁部３４は、保持コネクタ３０の保持部３２が充電コネクタ２０の接続部２２の内側に挿入された状態で、接続部２２の周囲の一部を囲うように設けられている。上側周壁部３３及び下側周壁部３４は、保持コネクタ３０が充電コネクタ２０を保持する際に、接続部２２の先端部を基点として充電コネクタ２０が倒れる方向への移動を規制する。これにより、上側周壁部３３及び下側周壁部３４は、接続部２２を補助的に保持し、保持部３２が接続部２２から外れてしまうことを抑制する。
【００２９】
上側周壁部３３は、底面部３１の傾斜面に沿った上下方向つまり図３の紙面の上下方向において、保持部３２の頂上部を含む上側の周囲の一部分を囲っている。また、下側周壁部３４は、底面部３１の傾斜面に沿った上下方向において、保持部３２の最下部を含まない保持部３２の下側の周囲の一部分を囲っている。
【００３０】
すなわち、連通部３５は、下側周壁部３４における底面部３１の傾斜面の上下方向に対する最下部にあって、下側周壁部３４の一部分を切り欠いたスリット状に設けられている。連通部３５は、下側周壁部３４の内側と外側、つまり保持部３２側と保持部３２と反対側とを連通させている。この場合、下側周壁部３４は、連通部３５によって２つに分断されている。つまり、２つの下側周壁部３４は、連通部３５を挟んで左右両側に設けられている。
【００３１】
スペーサ３６は、図３に示すように、連通部３５の左右両側にあって、下側周壁部３４の内側に沿って設けられている。また、スペーサ３６は、図４に示すように、底面部３１から突出して設けられている。本実施形態の場合、スペーサ３６は、下側周壁部３４と一体に形成されている。なお、スペーサ３６は、下側周壁部３４と別体でもよい。スペーサ３６は、保持部３２から離間している。これにより、スペーサ３６と保持部３２との間には隙間が形成されている。
【００３２】
図４に示すように、スペーサ３６の底面部３１からの突出寸法は、下側周壁部３４の底面部３１からの突出寸法よりも小さい。以下、底面部３１からの突出寸法を、単に突出寸法と称する。本実施形態の場合、スペーサ３６の突出寸法は、下側周壁部３４の突出寸法に対して１０分の１〜５分の１程度であるが、これに限られない。また、図４に示すように、スペーサ３６の保持部３２に対向する側の面３６１つまり保持部３２側の面３６１は、水平方向又は連通部３５側へ向かって下降傾斜している。本実施形態の場合、保持部３２側の面３６１は、連通部３５側へ向かって下降傾斜している。この場合、スペーサ３６の保持部３２側の面３６１は、下側周壁部３４の内側面に沿って湾曲している。更に、図５に示すように、スペーサ３６の接続部２２に対向する側の面３６２つまり接続部２２側の面３６２は、接続部２２の先端部に沿って傾斜している。
【００３３】
被係合部３７は、底面部３１に沿った上下方向において上側周壁部３３の上側にあって、底面部３１から突出して設けられている。保持コネクタ３０が充電コネクタ２０を保持する際、被係合部３７は、図５に示すように、充電コネクタ２０の係合部２３と係合する。これにより、係合部２３と被係合部３７とは、保持コネクタ３０が充電コネクタ２０を保持する際に、保持コネクタ３０から充電コネクタ２０が抜け落ちることを防止する。ちなみに、使用者が解除ボタン２４を押圧操作することで、係合部２３が動作して、係合部２３と被係合部３７との係合が解除される。したがって、使用者は、解除ボタン２４を押しながら充電コネクタ２０を引き抜くことで、充電コネクタ２０を保持コネクタ３０から抜き外すことができる。
【００３４】
図５に示すように、保持部３２が接続部２２に挿入されて、充電コネクタ２０が保持コネクタ３０に保持されている状態では、接続部２２の先端部は、スペーサ３６の接続部２２側の面３６２に接触している。これにより、充電コネクタ２０の接続部２２は、保持コネクタ３０の底面部３１から離間する。つまり、充電コネクタ２０が保持コネクタ３０に保持されている状態であっても、充電コネクタ２０の先端部は、保持コネクタ３０の底面部３１に接触していない。そのため、連通部３５は、充電コネクタ２０が保持コネクタ３０に保持されている状態であっても、充電コネクタ２０の先端部つまり接続部２２によって、連通部３５が塞がれることがない。
【００３５】
この場合、図３に示すように、上側周壁部３３及び下側周壁部３４の内側面と、保持部３２の外側面と、の間には、隙間３８が形成される。この隙間３８は、保持部３２の外周を囲むとともに、連通部３５を介して、下側周壁部３４の外側つまり保持コネクタ３０の外部に空間的に接続されている。そして、隙間３８及び連通部３５は、充電コネクタ２０が保持コネクタ３０に保持されている状態であっても、接続部２２によって塞がれることがない。この場合、隙間３８は、保持コネクタ３０内に浸入した雨水等を連通部３５に導くための導水経路になる。
【００３６】
この構成によれば、保持コネクタ３０の内部つまり上側周壁部３３及び下側周壁部３４の内側に雨水等が浸入した場合、その雨水等は、図３の矢印Ａで示すように、左右いずれかの隙間３８を通って底面部３１の傾斜に沿って流れ落ちる。そして、左右両側の隙間３８を流れる雨水等は、保持部３２の最下部付近で合流する。その後、合流した雨水等は、図３の矢印Ｂで示すように、下側周壁部３４の最下部に設けられた連通部３５から、保持コネクタ３０の外部へ排出される。そして、保持コネクタ３０の外部へ排出された雨水等は、図１の矢印Ｃで示すように、窪み部１１１の下側の傾斜面１１２からスタンド本体１１の前面１１３を伝って、スタンド本体１１の下部に流れ落ちる。このようにして、保持コネクタ３０の内部に浸入した雨水等は、保持コネクタ３０の外部に排出される。
【００３７】
以上の実施形態によれば、スペーサ３６は、保持部３２が接続部２２に挿入されて充電コネクタ２０が保持コネクタ３０に保持された状態で接続部２２の先端部に接触することで、接続部２２を底面部３１から離間させる。これにより、保持コネクタ３０の先端部が底面部３１に接触することによって、隙間３８や連通部３５を塞いで雨水等の流れを阻害されることを防ぐことができる。これにより、保持コネクタ３０内に浸入した雨水等を、円滑に保持コネクタ３０の外部へ排出することができる。このように、本構成によれば、保持コネクタ３０の内部に浸入した雨水等を、スタンド本体１１の内部を通すことなく排出することができる。したがって、簡易な構成で保持コネクタ３０の内部に浸入した雨水等を保持コネクタ３０の外部へ排出することができる。
【００３８】
充電コネクタ２０が保持コネクタ３０に保持されている状態では、充電コネクタ２０には、保持部３２の先端部の最下部、つまり保持部３２とスペーサ３６との接触部分を支点にして、保持部３２の先端部の頂上部が底面部３１から離れる方向へ回転しようとする力が作用する。この場合、係合部２３及び被係合部３７が、それぞれ接続部２２又は保持部３２の上側に設けられていないと、充電コネクタ２０に作用する回転力を、下側周壁部３４の最下部周辺部分で受けなければならい。つまりこの場合、充電コネクタ２０の回転力を受ける作用点は、下側周壁部３４の最下部周辺部分になる。そして、その下側周壁部３４の最下部周辺部分は、充電コネクタ２０の回転の支点に近い位置にある。そのため、充電コネクタ２０の回転力を受ける下側周壁部３４の最下部周辺部分には大きな力が作用する。したがって、この場合、下側周壁部３４の最下部周辺部分に高い強度が必要になる。
【００３９】
一方、本実施形態によれば、係合部２３及び被係合部３７は、充電コネクタ２０が保持コネクタ３０に保持された状態で相互に係合する。つまり、係合部２３及び被係合部３７は、充電コネクタ２０に作用する回転力を受ける作用点となる。そして、係合部２３及び被係合部３７は、それぞれ接続部２２又は保持部３２の上側に設けられている。つまりこの場合、係合部２３及び被係合部３７は、下側周壁部３４の最下部周辺部分に比べて、充電コネクタ２０の回転の支点から遠い位置にある。そのため、充電コネクタ２０の回転力を受ける係合部２３及び被係合部３７には、それほど大きい力は作用しない。またこの場合、充電コネクタ２０の回転力を、係合部２３及び被係合部３７で受けるため、下側周壁部３４の最下部周辺部分にもそれほど大きい力は作用しない。したがって、係合部２３及び被係合部３７や下側周壁部３４の最下部周辺部分の強度を上げることなく、充電コネクタ２０を安全に保持することができる。その結果、係合部２３及び被係合部３７や、下側周壁部３４を小型化することができ、ひいては、保持コネクタ３０の全体を小型化することができる。
【００４０】
スペーサ３６の保持部３２側の面３６１は、図３に示すように、連通部３５側へ向かって下降傾斜している。これによれば、保持コネクタ３０内に浸入した雨水等がスペーサ３６の保持部３２側の面３６１に沿って流れるため、その雨水等を連通部３５に誘導し易くなる。その結果、保持コネクタ３０内に浸入した雨水等の排出をより効果的に行うことができる。
【００４１】
スペーサ３６の接続部２２側の面３６２は、図４及び図５に示すように、接続部２２の先端部の傾斜に沿って傾斜している。これによれば、図５に示すように、保持部３２が接続部２２に挿入された際、スペーサ３６の接続部２２側の面３６２は、接続部２２に対して面で接触する。つまり、この場合、スペーサ３６の接続部２２側の面３６２が底面部３１に平行である場合に比べて、スペーサ３６の接続部２２側の面３６２と保持部３２との接触面積は大きい。したがって、保持部３２が接続部２２に挿入された際の充電コネクタ２０の安定性の向上を図ることができる。
【００４２】
スペーサ３６は、下側周壁部３４の内側にあって底面部３１から突出して設けられている。すなわち、スペーサ３６は、下側周壁部３４の根本部分に設けられている。これによれば、下側周壁部３４の厚みを増すことなく、下側周壁部３４の強度を上げることができる。すなわち、下側周壁部３４は、保持コネクタ３０が充電コネクタ２０を保持する際に充電コネクタ２０の回転力を受けるため、その強度は高いことが望ましい。ここで、一般に、下側周壁部３４の強度を上げるためには、下側周壁部３４の厚みを増すことが考えられる。しかし、下側周壁部３４の厚みを増して強度を向上させようとすると、全体として大型化してしまう。これに対し、本実施形態によれば、スペーサ３６が、下側周壁部３４の根本部分を補強している。したがって、下側周壁部３４の厚みを増すことなく、つまり、全体として大型化させることなく、下側周壁部３４の強度を向上させることができる。
【００４３】
（第２実施形態）
次に、第２実施形態について、図６を参照して説明する。第２実施形態の充電スタンド１０は、第１実施形態のスペーサ３６に換えてスペーサ４１を備えている点で、第１実施形態と異なる。すなわち、第２実施形態において、保持コネクタ３０は、左右両側の下側周壁部３４のそれぞれに対して２個以上のスペーサ４１を有している。本実施形態の場合、保持コネクタ３０は、左右両側の下側周壁部３４のそれぞれに対して２個ずつ合計で４個のスペーサ４１を有している。
【００４４】
左右両側の各スペーサ４１は、第１スペーサ４１１と第２スペーサ４１２とから構成されている。第１スペーサ４１１は、底面部３１に沿った上下方向において、保持部３２の最下部よりも上方に設けられている。第２スペーサ４１２は、底面部３１に沿った上下方向において、保持部３２の最下部よりも下方に設けられている。スペーサ４１１、４１２は、第１実施形態のスペーサ３６よりも小さい。また、スペーサ４１１、４１２の突出寸法は、第１実施形態のスペーサ３６の突出寸法と同程度である。各スペーサ４１１、４１２の保持部３２側の面４１３は、連通部３５へ向かって下降傾斜する平坦な面に形成されている。
【００４５】
これによれば、上記第１実施形態と同等の作用効果が得られる。更に、本実施形態によれば、左右両側の下側周壁部３４のそれぞれに対して、複数個この場合２個以上のスペーサ４１が設けられている。そのため、保持コネクタ３０内に浸入した雨水等が隙間３８を流れる際に、複数のスペーサ４１が設けられた経路を通過することで水の流れの勢いが低減される。このため、左右両側の隙間３８に沿って流れ落ちた雨水等が、連通部３５の手前で勢い良くぶつかり合って、水の流れに乱れが生じることを極力防ぐことができる。その結果、連通部３５付近における水の流れに乱れが生じ難くなり、連通部３５から雨水等を円滑に排出することができる。
【００４６】
（第３実施形態）
次に、第３実施形態について、図７を参照して説明する。第３実施形態の充電スタンド１０は、上記各実施形態のスペーサ３６、４１に換えてスペーサ５１を備えている点、及びヒレ部５２を更に備えている点で、上記各実施形態と異なる。すなわち、第３実施形態において、保持コネクタ３０は、左右両側の下側周壁部３４のそれぞれに対して２個以上のスペーサ５１を有している。本実施形態の場合、保持コネクタ３０は、左右両側の下側周壁部３４のそれぞれに対して２個ずつ合計で４個のスペーサ５１を有している。
【００４７】
左右両側の各スペーサ５１は、第１スペーサ５１１と第２スペーサ５１２とから構成されている。第１スペーサ５１１は、保持部３２の最下部よりも上方に設けられている。第２スペーサ５１２は、保持部３２の最下部よりも下方に設けられている。スペーサ５１１、５１２は、第１実施形態のスペーサ３６よりも小さい。また、スペーサ５１１、５１２の突出寸法は、第１実施形態のスペーサ３６の突出寸法と同程度である。各スペーサ５１１、５１２の保持部３２側の面５１３は、連通部３５へ水平方向に延びた平坦な面に形成されている。
【００４８】
ヒレ部５２は、保持部３２の左右方向の中央部にあって、保持部３２の最下部から連通部３５側へ向かって延びるようにして、保持部３２に一体又は別体に設けられている。ヒレ部５２の下部は鋭角になっている。
【００４９】
これによれば、保持コネクタ３０内に浸入した雨水等は、左右両側の隙間３８に沿って流れ落ちて保持部３２の最下部で合流する際に、ヒレ部５２に当たることで連通部３５側へ流れの方向を変えて連通部３５へ誘導される。したがって、保持部３２の最下部で雨水等が合流する際に、その雨水等の流れ方向を一方向へ揃えることができる。そのため、保持部３２の左右両外側の隙間３８に沿って流れ落ちた雨水等が保持部３２の最下部で合流する際に勢い良くぶつかり合うことを極力防ぐことができる。その結果、保持部３２の最下点付近つまり連通部３５付近における流れに乱れが生じ難くなり、連通部３５から雨水等を円滑に排出することができる。
【００５０】
また、ヒレ部５２は、例えば樹脂やゴム材等で形成することで、弾性変形可能に構成しても良い。この場合、保持部３２の最下部まで流れ落ちてきた雨水等は、ヒレ部５２に当たる際にヒレ部５２を弾性変形させる。その際、雨水等の流れる勢いが低減されるため、連通部３５の手前付近で水が勢い良くぶつかり合って、その水の流れに乱れが生じることを極力防ぐことができる。その結果、連通部３５の手前付近における水の流れに乱れが生じ難くなり、連通部３５から雨水等を更に円滑に排出することができる。
【００５１】
また、スペーサ３６は、例えば樹脂やゴム材等で形成することで、弾性変形可能に構成しても良い。この場合、隙間３８を形成する下側周壁部３４に沿って流れ落ちる雨水等は、スペーサ３６に当ってスペーサ３６を弾性変形させる。その際、雨水等の流れる勢いが低減されるため、連通部３５の手前において雨水等の流れ滑らかになる。その結果、連通部３５から雨水等を更に効率よく排出することができる。
【００５２】
なお、本発明は、上述した各実施形態に限定されるものではなく、その要旨を逸脱しない範囲で種々の実施形態に適用することができる。
例えば、各実施形態において、上側周壁部３３と下側周壁部３４とを略連続する円筒形状にしてもよい。
スペーサ３６、４１、５１の個数は、上述した各実施形態のものに限られない。
連通部３５は、スリット状に限られず、周壁部３４を貫く穴であってもよい。
また、係合部２３と被係合部３７との関係を相互に入れ替えてもよい。
スペーサ３６、４１、５１は、下側周壁部３４と一体であってもよいし、別体であってもより。また、スペーサ３６、４１、５１は、下側周壁部３４と同一の材質で構成されてもよいし、異なる材質で構成されてもよい。
【符号の説明】
【００５３】
図面中、１０は充電スタンド、１１はスタンド本体、１２はケーブル、２０は充電コネクタ、２２は接続部、３０は保持コネクタ、３１は底面部、３２は保持部、３３は上側周壁部（周壁部）、３４は下側周壁部（周壁部）、３５は連通部、３６１、４１３、５１３は保持部側の面、３６、４１、５１はスペーサ、３８は隙間、５２はヒレ部を示す。
【図１】
2017028856.tif 000003
【図２】
2017028856.tif 000004
【図３】
2017028856.tif 000005
【図４】
2017028856.tif 000006
【図５】
2017028856.tif 000007
【図６】
2017028856.tif 000008
【図７】
2017028856.tif 000009